(57)【要約】【課題】床暖房施工費用その他の軽減を目的とする。【解決手段】床下に人が潜れる住宅において、床下に潜り既設床材に発熱体を取り付ける作業工程と断熱材を発熱体にあてがい固定する作業工程、および発熱体に熱源を供給する作業工程を備えた床暖房施工方法で、既設床の上に置いてある物には一切手をつけず、床下に潜り既設床材に上記工程の床暖房施工を行うことにより課題「床暖房施工費用その他の軽減を目的とする。」を解決するものである。【選択図】  図１
2007224577.tif 000002
【特許請求の範囲】
【請求項１】
床下に人が潜れる住宅において、床下に潜り既設床材に発熱体を取り付ける作業工程と断熱材を発熱体にあてがい固定する作業工程、および発熱体に熱源を供給する作業工程を備えた床暖房施工方法。
【発明の詳細な説明】
【技術分野】
【０００１】
本発明は床暖房の施工方法である。
【背景技術】
【０００２】
新築住宅において階層的に積み上げていく床暖房施工方法は確立しているが、床下に潜って床暖房発熱体を取り付ける後付床暖房施工方法は、仕事がきつい、汚い等の理由で未確立である。
【０００３】
住宅リフォームにおいてリビングの既設床材を剥がしての床暖房施工方法としては下記の施工段取りとなる
１リビング家具の移動
２他の部屋への影響を考えてブルーシートでの埃飛散防止の養生
３床を丸鋸等で切って取り外し
４下地合板の撤去または再利用
５根太の交換または既設材料を使用する場合は釘等突起物の処理
６廃材運搬処理
７床暖房用断熱材施工
８床暖房用下地合板施工
９発熱体位置墨出し
１０発熱体設置
１１熱源への接続施工
１２床暖房仕上げ床材の施工
１３床工事に伴い影響が出た壁と巾木の補修
１４清掃
１５養生材の撤去
１６家具を元の位置に移動、整理
以上一連の作業は早い作業でも約五日程度を要する。これには床暖房施工費用の他、根太、下地合板、床材、壁補修材の材料代と工賃がかかる。
【０００４】
住宅リフォームにおいて既設床の上に発熱体を乗せて施工し、さらに新しい床材を貼る施工方法がある。この場合も家具の移動が伴い上記３、４、５、６、８を除く１から１６の仕事が必然的に伴う。この施工方法の場合他の部屋との段差が発生してしまう問題が生じる。
【発明の開示】
【発明が解決しようとする課題】
【０００５】
床暖房施工費用の軽減および工期短縮、工事のための家具移動等をなくし、施主の精神的肉体的負担を軽減するために前記（０００３）の１から６の作業及び８の作業を削除する。さらに１２から１６までの作業も削除することを課題として取り組んだものである。
【課題を解決するための手段】
【０００６】
床下に人が潜れる住宅において、床下に潜り既設床材に発熱体を取り付ける作業工程と断熱材を発熱体にあてがい固定する作業工程、および発熱体に熱源を供給する作業工程を備えた床暖房施工方法で、既設床の上に置いてある物には一切手をつけず、床下に潜って床暖房施工を行うことにより上記課題を解決するものである。
【発明の効果】
【０００７】
１床暖房施工に伴う上記もろもろの材料および施工費用が削減できる。
２工期を短縮できる。
３最小の資材投入で施工できる。
４最小の廃材排出を可能とした。
５施主の精神的肉体的負担の軽減を図ることができる。
上記５点を可能にしたほか、家具の移動費用の削減等々で施主の経済的負担をも軽減した床暖房施工方法を実現した。
【発明を実施するための最良の形態】
【０００８】
床下からの床暖房施工要領の講習会実施の形態をとる。
【実施例】
【０００９】
床下に潜り込む実地例は次の通りで、潜り込み方は４つの方法があり一番安価で簡単な方法を選択する。
１床下収納庫を引き出してそこから潜る方法。
２和室の畳をはがしてさらに床材をはずして潜る方法。
３前記二カ所から潜れない場合押入れの床板をはずして潜り込む方法。
４どこにも潜っていけそうな開口部が見つからない場合は、床下点検口または床下収納庫を新設してそこから潜り込む方法を採る。
【００１０】
床下に潜り込み、床材の天井を点検する。断熱材が入っている場合と断熱材が無い場合とがある。
【００１１】
断熱材が入っていない場合は次の施工工程である。
【００１２】
床材の天井に釘図（１）１２等突起物の有無を調べ、突起物があれば折り取る等の処置をする。
【００１３】
発熱体１１を大引き１の上に、根太２と根太の間に差し込む。
【００１４】
位置調整を行い粘着テープ８で仮止めする。
【００１５】
新設断熱材４を大引１の上に、根太２と根太の間に差し込み、断熱材固定材５で固定する。
【００１６】
断熱材が入っている場合は次の施工工程である。
【００１７】
断熱材４の材質を確認し床暖房部材として適材かを判断する。
【００１８】
次に厚みを測定し、床暖房としての断熱性能が十分であるかを判断する。厚みが少なく断熱効果が期待できないときは、取り替えまたは重ねて施工する。
【００１９】
発熱体１０、１１を断熱材と床の間に滑り込ませる。位置調整をする。
【００２０】
釘１２等の突起物があれば断熱材と床の間に滑り込ませるときに引っ掛かり、滑り込ませることができないのでその部分の断熱材をはずして突起物を点検し、折り取る等の処置をする。
【００２１】
断熱材と発熱体と床材が密着するよう適当な厚さの断熱材固定材５を大引き１と断熱材、および断熱材固定板７と断熱材との間に押し込み固定する。
【００２２】
熱源を接続する。電気の場合は屋内配線に制御機器を介して発熱体に接続する。温水式の場合は配管を熱源器に接続する。
【００２３】
１０帖リビングと８帖ダイニングの二部屋程度の床暖房施工は、施主の生活形態に影響を及ぼすことなく１日程度で完了する事ができる床暖房施工方法である。
【００２４】
下記の実地例がある。新築後３年目の一戸建て住宅でダイニングの床暖房は新築時に行った。実際の生活様式はリビングで長時間の団欒がありご主人が床暖房を切望されていた。しかしまだ築三年では床材の痛みもなく床の張り替えまで考えると実行できなかった。そこに床下からの施工方法を提案した。床下収納庫がキッチンにあり、床下に潜って調査した。断熱材は４０ｍｍ厚さのウレタンフォームがあった。問題なく床下から床暖房の施工が可能と判断し、ご主人と打ち合わせを行った。即発注となり工事日を三日後と決定した。工事期間予定は１日とした。施工当日、朝９時から取りかかり午後１４時には床下の施工を完了した。１６時に電気配線、制御機器取り付けを完了した。次に電気的チェックを完了し試運転を実施した。室温１８℃、床表面温度３０℃の結果が出た。工事仕掛かり日の夕方からすぐに使用出来る床暖房が完成した。その後、ご家族に取り扱いの説明に伺った折りに評価を聞いた。今度の休みに冷え性の友人が遊びに来るので体感してもらい「薦めたい」とのことだった。
【産業上の利用可能性】
【００２５】
床暖房のみを床下から実施し、他部材、たとえば新しい床板等を使用しないため余分な資源を無駄に消費することがない。また新しい床暖房施工方法としての人材育成、雇用の増大に寄与するものである。
【図面の簡単な説明】
【００２６】
【図１】床下からの床暖房施工見取り図
【図２】図１Ａ−Ａ' の床上から床下へ突き抜けた断面図
【符号の説明】
【００２７】
１  大引
２  根太
３  床下地材の捨て貼りコンパネ
４  断熱材
５  断熱材固定材
６  束
７  断熱材固定用板
８  発熱体仮固定用粘着テープ
９  配線材料
１０  仮固定された発熱体
１１  仮固定前の垂れ下がった状態の発熱体
１２  突起した釘
１３  床下のベタ基礎
１４  基礎コンクリート
１５  床仕上げ材
１６  温度センサー穴
【図１】
2007224577.tif 000003
【図２】
2007224577.tif 000004